(57)【要約】      （修正有）【課題】調節可能なケーブルマネジメントアームを持つ機器ラックを提供する。【解決手段】機器ラック１００は、それぞれ少なくとも１つの取り外し可能な電子機器を収納するための、垂直に配列され、一対のサイドレール１０２、１０４に支持される複数のシャーシスロット１０６、１０８を備え、サイドレールの一端に、シャーシスロットにアクセスするための少なくとも１つの第１の垂直位置を有する調節可能なケーブルマネジメントアーム１３０が設けられ、調節可能なケーブルマネジメントアームが、第１の垂直位置に位置する場合、第１の垂直位置に位置するケーブルマネジメントアームによってブロックされる別のシャーシスロットにアクセスする第２の垂直位置を有する。【選択図】図１Ｂ
2019057707.tif 000002
【特許請求の範囲】
【請求項１】
垂直に配列され、それぞれ少なくとも１つの取り外し可能な電子機器を収納するための複数のシャーシスロットと、
前記シャーシスロットを支持するための一対のサイドレールと、
前記一対のサイドレールの前記シャーシスロットから離れる一端に設けられ、前記シャーシスロットの１つにアクセスすることを可能にする少なくとも１つの第１の垂直位置を有する調節可能なケーブルマネジメントアームと、
を備え、
前記調節可能なケーブルマネジメントアームが前記第１の垂直位置に位置する場合、前記シャーシスロットの他方がケーブルマネジメントアームによってブロックされ、前記調節可能なケーブルマネジメントアームが前記ブロックされるシャーシスロットにアクセスすることを可能にする第２の垂直位置を更に含む機器ラック。
【請求項２】
前記調節可能なケーブルマネジメントアームは、前記シャーシスロットに平行である一対の側方向ブラケットを有する請求項１に記載の機器ラック。
【請求項３】
前記サイドレールは、垂直溝を有する取付タブ、及び前記取付タブの前記垂直溝に挿入され且つ前記垂直溝で移動可能なピンを含む請求項１又は２に記載の機器ラック。
【請求項４】
前記調節可能なケーブルマネジメントアームに設けられ、前記調節可能なケーブルマネジメントアームを前記第１又は第２の垂直位置に固定するように取付タブにロックするロック機構を更に含む請求項１〜３の何れか１項に記載の機器ラック。
【請求項５】
それぞれ前記サイドレールの１つに接続される第１端を有する２つの接続ブラケットと、
両端がそれぞれ前記接続ブラケットの前記第１端の方向と反対する第２の端に接続される底部ブラケットと、
を更に含む請求項１〜４の何れか１項に記載の機器ラック。
【請求項６】
第１シャーシスロットと第２のシャーシスロットを含む機器ラックにおける複数のケーブルを固定することに用いられ、前記第１シャーシスロットと前記第２のシャーシスロットとが互いに垂直に２つのサイドレールの間に設けられるケーブルマネジメントアーム部材であって、
前記側方向ブラケットの１つに接続される取付タブと、
前記第１シャーシスロットと前記第２のシャーシスロットによって前記取付タブの２つの垂直位置の間に位置付けされる摺動ブラケットと、
前記摺動ブラケットに接続され、前記サイドレールと実質的に垂直となる支持アームと、
を備えるケーブルマネジメントアーム部材。
【請求項７】
前記摺動ブラケットは、前記第１と第２のシャーシスロットに平行して設けられる一対の側方向ブラケットを有する請求項６に記載のケーブルマネジメントアーム部材。
【請求項８】
前記１対の側方向ブラケットは、複数の溝を含む請求項７に記載のケーブルマネジメントアーム部材。
【請求項９】
前記溝の１つに設けられ、第１又は第２のシャーシスロットの内に位置する取り外し可能な電子機器に接続される複数のケーブルを固定するためのリングを更に含む請求項８に記載のケーブルマネジメントアーム部材。
【請求項１０】
前記取付タブは、垂直溝を含み、且つ前記摺動ブラケットが前記取付タブの前記垂直溝に挿入されるピンを含む請求項６〜９の何れか１項に記載のケーブルマネジメントアーム部材。
【発明の詳細な説明】
【技術分野】
【０００１】
本開示は、ケーブルマネジメントアームに関し、より具体的に、垂直方向を調整してラック部材にアクセルできるケーブルマネジメントアームに関する。
【背景技術】
【０００２】
データを保存してリモート接続されたコンピュータ機器のユーザーのアクセスするアプリケーションを実行するコンピューティングクラウドの登場により、オフラインインストール（即ち、データセンター）に対する需要が高まっている。これらのデータセンターは、データを格納し管理するために、通常、サーバー、スイッチ、及びストレージ機器を大量に有する。典型的なデータセンターとしては、物理的なラック構造を有し、対応する電源及び通信接続を有する。ラックは、データセンタールーム全体にわたって列状に配置されている。ラックの各々には、２つの側壁の間に縦向きのスロット又はシャーシを有するフレームがある。スロットは、例えば、サーバー、スイッチ、ストレージ機器等の複数のネットワーク機器を収納することができる。現代のデータセンターでは、このようなラック構造に積み重ねられた多数のネットワーク機器がある。例えば、数万のサーバー、補助記憶装置及びネットワークスイッチを有するデータセンターもある。従って、典型的なデータセンターに、数十台又は数十万台の機器を有する数百台又は数千台の単独したラックが含まれることがある。
【０００３】
単一のラック内には、電源、ベースバックプレーン、ネットワーク機器をスロットに保持するための物理的部材等の部材がある。ネットワーク機器は、ケーブルによってスイッチ又はルータに接続する必要がある。これらのスイッチ又はルータは、通常、配線を最小限に抑えるために、頂部又は底部のスロットに取り付けられてよい。ラック内のネットワーク装置に多数のケーブルが接続されるため、これらのケーブルは、通常、組み合わせられてラックの背面に懸架されたケーブルマネジメントアームの中のリングを通って蛇行する。従って、ケーブルは、ラック内のネットワーク機器との接続を維持することができる。  
【０００４】
従来のラック設計では、ネットワーク部材を修理又は交換する必要がある場合、このようなケーブルマネジメントアームは、ラックの背面からヒンジで接続され、回転して取り外される。ユーザは、ラックに収納されたネットワーク機器にアクセスする時にケーブルマネジメントアームにより邪魔されないように、ラッチを開いて、ケーブルマネジメントアームを回して解放する。しかし、データセンターの狭い空間に、スペースが制限されて、ケーブルマネジメントアームを回転してラックの背面から離れさせることができない場合がある。この場合、ケーブルマネジメントアームの邪魔のために、ラック内のネットワーク装置の交換又は修理は、困難又は不可能になる。効率的なサービスやネットワーク機器の交換は、データセンターのピーク稼働期間にとって非常に重要である。ラック内のネットワーク装置のアクセス不能による遅延は、データセンターの効率的な運用を妨げる可能性がある。
【発明の概要】
【発明が解決しようとする課題】
【０００５】
従って、作業者が機器ラックに収容されたネットワーク機器に容易にアクセス可能なケーブルマネジメントアームが期待されている。また、限られたスペースでネットワーク機器のサービスを可能にするために、異なる垂直位置間で移動可能なケーブルマネジメントアームも期待されている。
【課題を解決するための手段】
【０００６】
本発明の実施例は、垂直に配列され、それぞれ少なくとも１つの取り外し可能な電子機器を収納するための複数のシャーシスロットと、シャーシスロットを支持するための一対のサイドレールと、一対のサイドレールのシャーシスロットから離れる一端に設けられ、シャーシスロットの１つにアクセスすることを可能にする少なくとも１つの第１の垂直位置を有する調節可能なケーブルマネジメントアームと、を備え、調節可能なケーブルマネジメントアームが第１の垂直位置に位置する場合、シャーシスロットの他方がケーブルマネジメントアームによってブロックされ、調節可能なケーブルマネジメントアームがブロックされるシャーシスロットにアクセスすることを可能にする第２の垂直位置を更に含む機器ラックである。
【０００７】
本発明の別の実施例は、第１シャーシスロットと第２のシャーシスロットを含む機器ラックにおける複数のケーブルを固定することに用いられ、第１シャーシスロットと第２のシャーシスロットが互いに垂直に２つのサイドレールの間に設けられるケーブルマネジメントアーム部材であって、側方向ブラケットの１つに接続される取付タブと、第１シャーシスロットと第２のシャーシスロットによって取付タブの２つの垂直位置の間に位置付けされる摺動ブラケットと、摺動ブラケットに接続され、支持アームとサイドレールが実質的に垂直となる支持アームと、を備えるケーブルマネジメントアーム部材である。      
【０００８】
本発明は、ケーブルマネジメントアームの異なる垂直位置での移動を可能にして、シャーシスロット内部のデバイスをメンテナンスするように、作業員がケーブルマネジメントアームを機器ラックから取り外しなくてシャーシスロットにアクセスすることを可能にする。
【０００９】
上記は、本発明の全部又は全ての態様を示すものではない。上記は、本明細書に記載された新規な態様又は特徴のいくつかの例を提供するに過ぎない。本発明の上記の特徴及び利点ならびに他の特徴及び利点は、添付の図面及び添付の特許請求の範囲と併せて本発明を実施するための最良の形態の以下の詳細な説明から明らかになる。
【図面の簡単な説明】
【００１０】
下記の添付図面の説明は、本発明の上記及び他の目的、特徴、メリット及び実施例をより分かりやすくするためのものである。
【図１Ａ】本開示の一実施形態によるケーブルマネジメントアームを有する機器ラックを示す斜視図である。
【図１Ｂ】図１Ａにおける機器ラックを示す断面斜視図であり、１つのスロットにおけるネットワーク機器を示す。
【図２Ａ】垂直位置に位置するケーブルマネジメントアームを有する機器ラック背面を示す斜視図である。
【図２Ｂ】図１におけるケーブルマネジメントアームを有する機器ラック背面を示す斜視図であり、図１と異なる垂直位置にある。
【図３Ａ】図１におけるケーブルマネジメントアームの機器ラックに接続される付属部材を示す側面クローズアップ図である。
【図３Ｂ】図１におけるケーブルマネジメントアームの付属部材の別の側面クローズアップ図であり、図１に示す反対側から機器ラックに取り付けられる。
【図４】上部垂直位置にあるケーブルマネジメントアームのブラケットを示すクローズアップ図である。
【図５】下部垂直位置にあるケーブルマネジメントアームのブラケットを示すクローズアップ図である。
【発明を実施するための形態】
【００１１】
本開示は、様々な修正及び代替形態が可能であり、いくつかの代表的な実施形態は、図面の例として示されており、本明細書において詳細に記載される。しかしながら、本発明は、開示された特定の形態に限定されることを意図するものではないことを理解されたい。逆に、本発明は、以下の添付の特許請求の範囲によって規定される本発明の精神ならびに範囲内に入るすべての改変、等価物、及び代替物を包含するものである。
本発明は、多くの異なる形態で体現されることができる。添付図面において、代表的な実施例を示し、ここで詳細に説明するが、本開示の原理の範例又は説明として理解され、且つ本開示の範囲を実施例の図面に限定することを意図するものではない。この場合、要素及び制限は、例えば、要約、発明内容及び詳しい説明の部分に開示されているが、請求項に明示的に記載されていないため、暗示、推論、又は別の形態によって別個に又は集合的に請求項に組み込まれるべきではない。特記しない限り、詳しく説明するために、単数は複数の数を含み、逆も同様であり、「含む」という単語は「含むが、これに限定されない」を意味する。また、「約」、「ほぼ」、「基本的に」、「近似する」等の同様の用語は、本明細書では、「付近」又は「３〜５％以内」又は「許容される製造許容誤差内」、或いは任意の論理的組合せを示すことに用いられることができる。
【００１２】
図１Ａは、機器ラック１００を示す斜視図である。機器ラック１００は、１対の側壁１２及び１４を含む。側方向ブラケット１６及び１８は、側壁１２及び１４の対応する内側の付近に位置する。側方向ブラケット１６及び１８は、垂直支持部材２０を含む。側壁１２及び１４に近い垂直支持部材２０は、それらのネットワーク機器収納溝を固定するためのサイドレール１０２及び１０４を支持する。
【００１３】
図１Ｂは、機器ラック１００のサイドレール１０２及び１０４のクローズアップ斜視図である。シャーシスロット１０６及びシャーシスロット１０８のような単独したスロットは、サイドレール１０２及び１０４により支持される交差部材１１０、１１２及び１１４からなる。従って、シャーシスロット１０６及び１０８の位置は、サイドレール１０２及び１０４及び交差部材１１０、１１２及び１１４によって定義される。シャーシスロット１０６及び１０８は、ネットワーク機器を操作しやすくするために、電源をネットワーク機器及びバックプレーン電子機器に接続することに用いられてよい。本実施例におけるシャーシスロット１０６は、サーバー１２０及び１２２のような２つのネットワーク機器を収納する。シャーシスロット１０８も、サーバー１２４及び１２６のような２つのネットワーク機器を収納する。理解すべきなのは、機器ラック１００におけるスロットの各々は、単一のネットワーク機器又は２つの以上のネットワーク機器を収納し、サーバー１２０、１２２、１２４、１２６、及びシャーシスロット１０６及び１０８の後端に位置するケーブルマネジメントアーム（ｃａｂｌｅ  ｍａｎａｇｅｍｅｎｔ  ａｒｍ）１３０によってガイドされる各種のケーブルを接続することができる。下記の説明のように、ケーブルマネジメントアーム１３０は、サイドレール１０２及び１０４を通る位置に支持される。
【００１４】
図２Ａ及び図２Ｂは、機器ラック１００の後側を示す斜視図であり、ケーブルマネジメントアーム１３０が異なる位置に掛けられる。図２Ａ及び図２Ｂにおける素子は、図１Ａ及び図１Ｂと同じ符号を採用する。図２Ａは、ケーブルマネジメントアーム１３０が低い垂直位置に掛けられる様子を示す。図２Ｂは、ケーブルマネジメントアーム１３０が高い垂直位置に掛けられる様子を示す。ケーブルマネジメントアーム１３０を異なる垂直位置に固定すると、ケーブルマネジメントアームを回転させて機器ラック１００から離させなければシャーシスロット１０６及び１０８に近づかないことを防止することができる。機器ラック１００の後ろに必要な空間が小さいので、機器ラック１００をよりコンパクトなスペースに取り付けることを可能にする。図２Ａに示すように、ケーブルマネジメントアーム１３０が低い垂直位置にある場合、シャーシスロット１０６における装置に接触することができる。図２Ｂに示すように、ケーブルマネジメントアーム１３０が高い垂直位置にある場合、シャーシスロット１０８における装置に接触することができる。  
【００１５】
図２Ａ及び図２Ｂに示すように、ケーブルマネジメントアーム１３０を垂直に移動させることで、対応するシャーシスロットから装置をスライドアウトして、サーバー１２０、１２２、１２４及び１２６をサービスすることができる。例えば、サーバー１２２は、図２Ａにおけるシャーシスロット１０６から取り除かれる位置に示される。類似的に、図２Ｂにおけるサーバー１２６は、シャーシスロット１０８から取り除かれる。このような方式によって、技術者は、機器ラックの所でサーバー１２６のようなネットワーク装置をサービスすることができる。又は、サーバー１２６を完全に取り除いて、別の装置で取って代わってもよい。又は、機器ラック１００から遠隔で修理して後の交換を待つことができる。
【００１６】
サーバー１２０、１２２、１２４及び１２６のそれぞれは、コネクタを受けるための複数のポートを有する。コネクタは、スイッチ又はルータのような他の装置からのデータを伝送するためのケーブルに接続される。これらのスイッチ及びルータは、機器ラック１００の他のスロット、又は機器ラック１００の付近に取り付けられてよい。１つ又は複数のスロットにおけるネットワーク機器のポートからのケーブルは、機器ラック１００の後部の空間を節約するように集まってよい。ケーブルマネジメントアーム１３０は、シャーシスロット１０６及び１０８におけるネットワーク機器に接続される１束のケーブルを固定することに用いられる。
【００１７】
図２Ａ及び２Ｂに示すように、ケーブルマネジメントアーム１３０は、機器ラック１００の後側にわたって延伸し、シャーシスロット１０６及び１０８と分離される。図１Ｂ、２Ａ及び２Ｂに示すように、ケーブルマネジメントアーム１３０は、サイドレール１０２の後端に接続される取付ブラケット１３２を有する。図１Ｂ及び２Ｂに示すように、ケーブルマネジメントアーム１３０は、サイドレールの後端に接続される内部取付ブラケット１３３を更に有する。外部取付ブラケット１３４によって、２つのサイドレール１０４に平行して延伸する接続ブラケット１３６及び１３８を支持する。２つの接続ブラケット１３６及び１３８の何れも、外部横方向主ブラケット１４０及び内部横方向主ブラケット１４２の近端に接続される。横方向主ブラケット１４０及び１４２の何れも、環状端部構造１４４でまとめて接続される一端を有する。取付ブラケット１３２及び１３４も底部ブラケット１４６に接続される。従って、底部ブラケット１４６は、サイドレール１０２及び１０４を横切る。底部ブラケット１４６は、使用者が垂直方向にケーブルマネジメントアーム１３０を簡単に高めることを可能にする。
【００１８】
主ブラケット１４０及び１４２の何れも、複数のスロット１５０を有する。スロット１５０は、主ブラケット１４０及び１４２における異なる位置に形成される。例えば、スロット１５０は、主ブラケット１４０及び１４２における異なる高さに位置してよい。スロット１５０は、接続ブラケット１３６及び１３８に接続される端部、及び端部構造１４４の間の任意位置に位置してもよい。スロット１５０は、長方形リングを主ブラケット１４０及び１４２に固定するように、長方形リングにおけるフック状突出部材と組み合わせてよい。スロット及びフック状突出部材以外の部材も、主ブラケット１４０及び１４２における長方形リングに接続することに用いられてよい。１本又は複数本のケーブルは、長方形リングを通って、１束ケーブルをまとめて保持し、この機器ラック１００のスロットにおけるネットワーク機器に接続されるケーブルを支持する。主ブラケット１４０及び１４２における長方形リングの垂直と水平位置は、主ブラケット１４０及び１４２における長方形リングに接続するための適切なスロット１５０によって決められてよい。  
【００１９】
この実施例において、リング部材１５２、１５４及び１５６は、主ブラケット１４０におけるスロットに取り付けられる。類似的に、リング部材１６２、１６４及び１６６は、主ブラケット１４２に取り付けられる。端部リング１６８は、端部構造１４４に取り付けられる。上記のように、主ブラケット１４０及び１４２に取り付けられるリング部材の数は異なってよく、又はリングが主ブラケット１４０及び１４２の一方のみに取り付けられてよい。また、リングの各々の相対的な垂直位置及び水平位置は、リングを主ブラケット１４０及び１４２における異なるスロット１５０内まで移動することで変わることができる。主ブラケット１４０及び１４２におけるスロット１５０の位置は、ユーザがネットワーク機器に対して位置が異なるケーブルを支持することに用いられるようにリング部材を配置することに可能にする。該ネットワーク機器は、機器ラック１００の異なるシャーシスロットに位置するサーバー１２０、１２２、１２６及び１２８である。  
【００２０】
下記の説明のように、ケーブルマネジメントアーム１３０は、シャーシスロット１０６及び１０８に対して垂直に位置決めすることができる。図２Ａは、ケーブルマネジメントアーム１３０とシャーシスロット１０８がともに平面における垂直位置に位置決めされる様子を示す。ケーブルマネジメントアーム１３０が図２Ａにおける位置にある場合、シャーシスロット１０６における装置にアクセスすることが可能である。また、シャーシスロット１０６における装置は、ケーブルマネジメントアーム１３０により邪魔せずに、機器ラック１００の後部から引き出されることができる（シャーシスロット１０６から引き出されるサーバー１２２のように）。図２Ｂは、ケーブルマネジメントアーム１３０がシャーシスロット１０６と面一の垂直位置に位置することが示され、シャーシスロット１０８における装置にアクセスすることが可能である。従って、シャーシスロット１０８における装置は、機器ラック１００の背面から抜き出されることができ、例えばケーブルマネジメントアーム１３０により邪魔されずに、サーバー１２６がシャーシスロット１０８から抜き出される。  
【００２１】
図３Ａは、機器ラック１００の一側から見られるケーブルマネジメントアーム１３０がサイドレール１０４に接続されるクローズアップ図である。図３Ｂは、機器ラック１００の他側から見られるケーブルマネジメントアーム１３０がサイドレール１０２に接続されるクローズアップ図である。図３Ａ及び図３Ｂは、図１及び図２における対応する物と同じ図面標記でマークする。サイドレール１０２及び１０４の何れも、取付タブ３０２及び３０４を含む。前記例示において、取付タブ３０２及び３０４は、ボルトによってサイドレール１０２及び１０４の端部に接続される。取付ブラケット１３３は、ボルトによって取付タブ３０４に取り付けられる。例えばネジ、リベット、及び溶接の他の方法で取付ブラケットを結合する方法は、取付ブラケット１３３と取付タブ３０２及び３０４との接続に用いられてよい。取付タブ３０２は、１つの垂直方向のスロット３１２を含む。取付ブラケット１３２から延伸するピン（未図示）は、スロット３１２に挿入されて、取付ブラケット１３２のスロット３１２での上下移動を可能にする。
【００２２】
取付タブ（ｍｏｕｎｔｉｎｇ  ｔａｂ）３０４は、スロット３１４を有する。摺動ブラケット３２０は、スロット３１４内で上下に摺動することができる。摺動ブラケット３２０は、１対のノブ３２２及び３２４を含む。取付ブラケット１３２は、ノブ３２６を更に含み、摺動ブラケット３２０は、駆動ピン３３０及び３３２を更に含む。駆動ピン３３０及び３３２は、スロット３１４に挿入され且つスロット３１４内で垂直に移動してよい。ノブ３２２、３２４及び３２６がロック位置に置かれて、摺動ブラケット３２０及び取付ブラケット１３２（及びケーブルマネジメントアーム１３０）をスロット３１２及び３１４における垂直位置にロックすることができる。ノブ３２２、３２４及び３２６を緩め位置に置かれて、摺動ブラケット３２０と取付ブラケット１３４を垂直にヒンジで接続して、ケーブルマネジメントアーム１３０の移動を可能にする。前記例示において、ノブ３２２、３２４及び３２６の各々は、ピボットレンチ構造を有する。レンチは、ノブの頂部に対して、垂直位置と水平位置との間で枢転することができる。レンチが垂直位置にある場合、プッシュインラッチをノブに後退させて、ノブを緩め位置に置く。レンチが水平位置にある場合、プッシュインラッチを伸びさせて、ノブをロック位置に置く。前記例示において、スロット３１２及び３１４は、垂直サイズを有するので、ケーブルマネジメントアーム１３０がスロット３１２及び３１４の頂部にあるシャーシスロット１０６と同じ高さに位置決めされ、又はスロット３１２及び３１４の底部にあるシャーシスロット１０８と同じ高さに位置する。もちろん、スロット３１２及び３１４は、異なる垂直サイズを有してよく、これはケーブルマネジメントアーム１３０を機器ラック１００における他の溝の間に位置付けすることを可能にする。  
【００２３】
図４及び図５は、図３Ａにおける点線のブロック領域のクローズアップ図である。図４において、ケーブルマネジメントアーム１３０はシャーシスロット１０６の平面における第１位置にある。図５において、ケーブルマネジメントアーム１３０はシャーシスロット１０８の平面における第２の位置に調節される。図４〜図５における素子は、図１〜図３における対応する素子と同じ符号で表示される。図４〜図５に示すように、摺動ブラケット３２０は、駆動ピン３３０及び３３２によってスロット３１４内で移動することができる。ノブ３２２及び３２４を回転させることで、摺動ブラケット３２０を適所にロックすることができる。図４に示すように、ノブ３２２及び３２４をロック位置に回転させることで、ケーブルマネジメントアーム１３０をスロット３１４の上端の中にロックすることができる。付属の接続ブラケット１３６及び１３８及び主ブラケット１４０及び１４２は、これにより、適切な位置に掛けられる。図２Ｂに示すように、ケーブルマネジメントアーム１３０がシャーシスロット１０６と同じ平面にあるため、下のシャーシスロット１０８におけるサーバー１２４及び１２６にアクセスすることができる。ケーブルマネジメントアーム１３０を垂直に移動するために、図３Ａ〜図３Ｂにおけるノブ３２２、３２４及び３２６は、ロック解除位置に回転される必要がある。ケーブルマネジメントアーム１３０は、図２Ａ及び図２Ｂに示す底部ブラケット１４６を通って移動することができる。
【００２４】
図５は、摺動ブラケット３２０がスロット３１４の下部位置に移動した様子を示す。ノブ３２２及び３２４は、摺動ブラケット３２０を取付タブ３０４の位置にロックし、且つこれによりケーブルマネジメントアーム１３０を垂直位置に掛け、シャーシスロット１０８と同じ高さに位置させる。図２Ａに示すように、ケーブルマネジメントアーム１３０とシャーシスロット１０８が同じ平面にあるため、上のシャーシスロット１０６におけるサーバー１２０及び１２２にアクセスすることができる。ケーブルマネジメントアーム１３０が図４に示すような頂部位置に移動する必要がある場合、ユーザは、図３Ａ〜図３Ｂに示すノブ３２２、３２４及び３２６をロック解除して、底部ブラケット１４６によってケーブルマネジメントアーム１３０を上げることができる。
【００２５】
本明細書で使用する「素子」、「モジュール」、「システム」等の用語は、一般的に、コンピュータ関連のエンティティ、又はハードウェア（例えば、回路）、又はハードウェアとソフトウェアとの組み合わせ、又はソフトウェア、又は１つ以上の特定の機能を有する操作機械のエンティティを指す。例えば、素子は、プロセッサー上の処理プロセス（例えば、データ信号プロセッサー）、プロセッサー、オブジェクト、実行可能ファイル、実行スレッド、プログラム、及び／又はコンピュータであってもよい。コントローラ上で動作するアプリケーション及びコントローラは、何れも素子であってもよい。１つ又は複数の素子は、プログラム及び／又は実行スレッド内に存在してもよく、素子は、１つのコンピュータに配置されてもよく、及び／又は２つ以上のコンピュータの間に分散されてもよい。また、「装置」は、特別に設計されたハードウェアの形態をとることができ、汎用ハードウェア上で専門的に製造されるソフトウェアによって、ハードウェアは、特定の機能を実行することができ、ソフトウェアは、コンピュータ可読媒体に記憶されることができ、又はそれらの組み合わせは可能である。
【００２６】
コンピュータ装置は、一般的に、コンピュータ可読媒体及び／又は通信媒体を含む様々な媒体を備える。この２つの用語は、下記のように別々に使用される。コンピュータ可読媒体は、コンピュータによってアクセス可能な任意の利用可能な記憶媒体であってもよく、一般的に非一時的であり、揮発性及び不揮発性媒体、取外し可能及び取外し不可能媒体の両方を含む。限定ではなく、例として、コンピュータ可読媒体は、コンピュータ可読命令、プログラムモジュール、構造化データ又は非構造化データのような情報を記憶するための任意の方法又は技術との組み合わせを実現することができる。コンピュータ可読媒体は、ランダムアクセスメモリ（ＲＡＭ）、リードオンリメモリ（ＲＯＭ）、電気的に消去可能なプログラマブルリードオンリーメモリ（ＥＥＰＲＯＭ）、フラッシュメモリ（ｆｌａｓｈ  ｍｅｍｏｒｙ）、及び他の記憶技術、ＣＤ−ＲＯＭドライブ（ＣＤ−ＲＯＭ）、デジタル多用途ディスクプレーヤ（ｄｉｇｉｔａｌ  ｖｅｒｓａｔｉｌｅ  ｄｉｓｋ；ＤＶＤ）又は他の光ディスクストレージ、磁気カセット、磁気テープ、磁気ディスク記憶装置又は他の磁気記憶装置、或いは所望の情報を格納するために使用される他の有形及び／又は非一時的媒体を含むが、これらに限定されない。コンピュータ可読媒体は、媒体による情報を記憶するための様々な動作に対処するために、アクセスニーズ、クエリ、又は他のデータ検索プロトコルのような、１つ又は複数のローカル又はリモートコンピューティング装置を介してアクセスすることができる。
【００２７】
本明細書で使用する用語は、特定の実施例を説明するためのものだけであり、本開示を限定するものではない。本明細書で使用されるように、単数形の「一」、「１つ」及び「前記」は、文脈上、他に明確に指示されない限り、複数の指示対象を含む。なお、これらの詳細な説明及び／又は特許請求の範囲において、「含む」、「有する」という用語又はそれらの変形が使用される。これらの用語は、「含む」と類似し、包含的なものを意図する。
【００２８】
別に定義されない限り、本明細書で使用される全ての用語（技術用語及び科学用語を含む）は、当業者によって一般的に理解されるのと同じ意味を有する。更に、一般的に使用される辞書に定義されているような用語は、関連技術の文脈において一貫した意味を有すると解釈されるべきであり、本明細書で明示的に定義されない限り、理想化された又は過度に正式な形で解釈されることはない。
【００２９】
以上、本開示の様々な実施例について詳細に説明したが、これらは例示にすぎず、限定ではないことを理解されたい。本開示の精神又は範囲から逸脱しない限り、本明細書の開示に基づいて、開示された実施例に多くの修正を加えることができる。従って、本開示の幅及び範囲は、上記の実施例のいずれによっても制限されるべきではない。反対に、本開示の範囲は、添付の特許請求の範囲及びそれらの等価物によって定義されるべきである。
【００３０】
本発明は、１つ又は複数の実施例に関して記載及び説明されているが、本明細書及び図面を読んで理解すると、同等の変更及び修正が当業者には想到し得ることである。また、本開示の特定の特徴がいくつかの実行中のうちの１つに関して開示されているが、この特徴は、任意の所与の適用又は特定の適用に望ましい又は有益であることのような他の実行中の１つ又は複数の他の特徴と組み合わせることができる。
【符号の説明】
【００３１】
１２、１４  側壁
１６、１８  側方向ブラケット
２０  垂直支持部材
１００  機器ラック
１０２、１０４  サイドレール
１０６、１０８  シャーシスロット
１２０、１２２、１２４、１２６、１２８  サーバー
１３０  ケーブルマネジメントアーム
１３２、１３３、１３４  取付ブラケット
１３６、１３８  接続ブラケット
１４０、１４２  主ブラケット
１４４  端部構造
１４６  底部ブラケット
１５０  スロット
１５２、１５４、１５６、１６２、１６４、１６６  リング部材
１６８  端部リング
３０２、３０４  取付タブ
３１２、３１４  スロット
３２０  摺動ブラケット
３２２、３２４、３２６  ノブ
３３０、３３２  駆動ピン 
【図１Ａ】
2019057707.tif 000003
【図１Ｂ】
2019057707.tif 000004
【図２Ａ】
2019057707.tif 000005
【図２Ｂ】
2019057707.tif 000006
【図３Ａ】
2019057707.tif 000007
【図３Ｂ】
2019057707.tif 000008
【図４】
2019057707.tif 000009
【図５】
2019057707.tif 000010